(57)【特許請求の範囲】
【請求項１】
容器の口筒部に取着され、キャップ本体と上蓋からなるヒンジキャップにおいて、
キャップ本体は、注出筒と、容器口筒部に嵌着される係合筒部と、係合筒部の外周に設けられ、上端外周にヒンジを連設する外周筒部とを具え、
係合筒部は、上端に上蓋と嵌合する蓋係合部を具え、
外周筒部は、ヒンジの反対側の外周上端に、切断可能な弱化部を介して側方に張り出した蓋保持部が設けられ、
蓋保持部は、該弱化部に連接された底壁と、底壁の両側に立設された側壁と、双方の側壁の前縁上部の間に架設された押さえ部材を具え、
側壁の内面後部には、係合凸部を設け、
押さえ部の後面には、係合面を設け、
上蓋は、頂壁と、外筒壁を具え、
外筒壁の内周下端は、拡径され、キャップ本体の係合筒部の蓋係合部と嵌合する係合部が設けられ、
外周下端の所定の位置には、ヒンジが連設され、ヒンジの反対側には、中央に突出部を設けた摘み部が配設され、
摘み部の突出部には、根本部両側に、蓋保持部の側壁の係合凸部と嵌合する係合凹部が形成され、中央部に、蓋保持部の押さえ部材と当接する傾斜面が形成され、
該摘み部の突出部が、キャップ本体の蓋保持部の押さえ部材に嵌合されていることを特徴とするヒンジキャップ。
【発明の詳細な説明】
【技術分野】
【０００１】
本発明は、ヒンジキャップ、とくに容器内に充填した加熱殺菌された内容液によりキャップの上蓋内の空気が加熱され、内圧が上昇することにより、上蓋が開蓋することを防止したヒンジキャップに関するものである。
【背景技術】
【０００２】
殺菌のため加熱された内容液を充填するヒンジキャップにおいて、内容液を充填し、ヒンジキャップを打栓した後、容器内部を殺菌し、次いで容器外部より温水シャワーで洗浄、冷却することは従来より行われている。
そしてまた、殺菌のための加熱処理によるキャップ内の空気圧の上昇により、上蓋が開蓋することを防止するために、キャップ本体の係合用の突出部に係合する上蓋の突出部に、主突起と補助突起を設け、係止機構を二重にして上蓋の開蓋を防止することも、従来より知られている（例えば、特許文献１参照）。
【特許文献１】特開平１１−３５０６１号公報
【発明の開示】
【発明が解決しようとする課題】
【０００３】
しかしながら、上記特許文献１記載の従来のヒンジキャップは、補助突起の係合によって、それ以上の上蓋の上昇を抑制し、上蓋の開蓋を防止するようにしているので、使用者が上蓋を開閉するためには、補助突起をキャップ本体の係合用の突出部を乗り越えさせなければならず、開蓋の際に大きな力が必要であるという問題があった。
【０００４】
本発明は、上記問題を解決することを課題とし、加熱によるキャップ内の空気の圧力上昇により、ヒンジキャップの上蓋が圧力上昇により開蓋することがなく、また、使用者がそれ程強い力を必要としないで上蓋を開閉できるヒンジキャップを提供することを目的とする。
【課題を解決するための手段】
【０００５】
本発明は、上記の課題を解決するため、ヒンジキャップとして、容器の口筒部に取着され、キャップ本体と上蓋からなるヒンジキャップにおいて、キャップ本体は、注出筒と、容器口筒部に嵌着される係合筒部と、係合筒部の外周に設けられ、上端外周にヒンジを連設する外周筒部とを具え、係合筒部は、上端に上蓋と嵌合する蓋係合部を具え、外周筒部は、ヒンジの反対側の外周上端に、切断可能な弱化部を介して側方に張り出した蓋保持部が設けられ、蓋保持部は、該弱化部に連接された底壁と、底壁の両側に立設された側壁と、双方の側壁の前縁上部の間に架設された押さえ部材を具え、側壁の内面後部には、係合凸部を設け、押さえ部の後面には、係合面を設け、上蓋は、頂壁と、外筒壁を具え、外筒壁の内周下端は、拡径され、キャップ本体の係合筒部の蓋係合部と嵌合する係合部が設けられ、外周下端の所定の位置には、ヒンジが連設され、ヒンジの反対側には、中央に突出部を設けた摘み部が配設され、摘み部の突出部には、根本部両側に、蓋保持部の側壁の係合凸部と嵌合する係合凹部が形成され、中央部に、蓋保持部の押さえ部材と当接する傾斜面が形成され、該摘み部の突出部が、キャップ本体の蓋保持部の押さえ部材に嵌合されていることを特徴とする構成を採用する。
【発明の効果】
【０００７】
キャップ本体の外周筒部のヒンジ反対側の外周上端に、切断可能な弱化部を介して側方に張り出した蓋保持部を設け、該蓋保持部の押さえ部材と、上蓋に設けた摘み部の突出部とを嵌合させるようにしたから、キャップ本体の蓋係合部と上蓋の係合部の嵌合とともに、二個所によって嵌合されるようになり、上蓋内の圧力上昇による開蓋を防止するとともに、嵌合力を分散させたので、使用者はより少ない力で、上蓋を開くことができるようになった。
【発明を実施するための最良の形態】
【０００８】
次に、本発明のヒンジキャップについて図面を参照して説明する。
図１、２おいて、Ａは容器本体に打栓されるキャップ本体、Ｂはキャップ本体ＡにヒンジＣを介して一体成形された上蓋である。
【０００９】
キャップ本体Ａは、底壁１と、底壁１の周縁に連設される注出筒２と、注出筒２の下端外周よりリング状底壁３を介して連設される係合筒部４と、係合筒部４外周に一定の間隔を持って連設され、上端外周にヒンジＣを連設する外周筒部５とからなっている。
【００１０】
底壁１には、注出口を開口する薄肉の弱化部６により区画された除去部７が設けられており、除去部７の上面には、開口時に、除去部７を引上げるプルリング８が設けられている。
【００１１】
係合筒部４は、リング状の上壁９と、上壁９の内周縁に垂設され、内周にリング状底壁３外周縁と接続する内筒１０と、上壁９の外周縁に垂設された外筒１１と、上壁９の上部に立設され、上蓋Ｂと嵌合する蓋係合部１２とからなっている。
外筒１１の内周には、容器本体の口筒部外周と係合する係合突条１３が設けられており、係合筒部４は、打栓時に、内筒１０外周と外筒１１内周により、容器本体の口筒部を挟持し、キャップ本体Ａを容器本体の口筒部に装着させる。
【００１２】
外筒１１の下端外周と外周筒部５の下端内周は、外周筒部５のヒンジＣの反対側に設けられた連結片１４と、間隔をおいて複数配設された破断可能な弱化片１５とを介して連設されている。
【００１３】
蓋係合部１２の外周には、外筒１１外周より縮径された縮径部１６と、その上端部に縮径部１６より拡径された膨出部１７とが形成されている。
【００１４】
外周筒部５のヒンジＣの反対側の外周上端には、切断可能な弱化部１８を介して側方に張り出した蓋保持部１９が設けられている。
【００１５】
蓋保持部１９は、弱化部１８に連設された底壁２０と、底壁２０の両側に立設された側壁２１と、双方の側壁２１の前縁上部の間に架設された円弧状の押さえ部材２２とからなっている。
側壁２１の内面後部には、係合凸部２３が設けられており、押さえ部材２２の後面には、後述する摘み部の傾斜面に当接する係合面２４が形成されている。
【００１６】
上蓋Ｂは、頂壁３０と、頂壁３０の周縁に垂設された外筒壁３１とからなり、頂壁３０下面には、キャップ本体Ａの注出筒２の内周に挿入される密封リング３２が垂設されている。
【００１７】
外筒壁３１の内周下端は、拡径され、キャップ本体Ａの係合筒部４の蓋係合部１２外周と嵌合する係合部３３が設けられており、外周下端の所定の位置には、ヒンジＣが連設され、ヒンジＣの反対側には、摘み部３４が配設されている。
【００１８】
係合部３３は、キャップ閉蓋時にキャップ本体Ａの蓋係合部１２の上面に当接し、係合する上内面３３ａと、蓋係合部１２の外周と係合する側内面３３ｂとから形成され、側内面３３ｂの下端には、キャップ本体Ａの蓋係合部１２の膨出部１７と係合する係合突部３５が設けられている。
【００１９】
摘み部３４は、中央部に突出部３４ａが設けられ、該突出部３４ａには、キャップ本体Ａの蓋保持部１９の押さえ部材２２の係合面２４と当接する傾斜面３６が形成され、突出部３４ａの根本部両側に、蓋保持部１９の両側の側壁２１の係合凸部２５と嵌合する係合凹部３７が形成されている。
【００２０】
次に、本実施例のヒンジキャップの作用効果について説明する。
ヒンジキャップの閉蓋にあたっては、上蓋Ｂの係合部３３とキャップ本体Ａの蓋係合部１２とを嵌合させるとともに、上蓋Ｂの摘み部３４の突出部３４ａとキャップ本体Ａの蓋保持部１９の押さえ部材２２とを嵌合させ、上蓋Ｂをキャップ本体Ａに閉蓋する。
容器本体内に加熱された内容液を充填し、容器本体の口筒部に、閉蓋したヒンジキャップを上方から打栓する。
【００２１】
本発明のヒンジキャップは、上蓋Ｂの摘み部３４の傾斜面３６と係合凹部３７が、キャップ本体Ａの蓋保持部１９の係合面２４と係合凸部２３に嵌合し、押さえ部材２２が摘み部３４の傾斜面３６に当接することにより、上蓋Ｂのキャップ本体Ａに対する嵌合力を付加するので、上蓋Ｂの係合部３３とキャップ本体Ａの蓋係合部１２との嵌合力がそれほど強くなくても、上蓋Ｂ内の内圧上昇による開蓋を防止することができる。
加熱充填直後のキャップ本体Ａと上蓋Ｂの嵌合力は、６〜１３ニュートンであればよく、蓋係合部１２による嵌合力と蓋保持部１９による嵌合力への配分は、適宜に設定することができる。
【００２２】
上蓋Ｂを開蓋する際には、キャップ本体Ａの蓋保持部１９に指などを掛け、上方に持ち上げると、図３に示すように、キャップ本体Ａの蓋保持部１９と外周筒部５とを連設する弱化部１８が切断され、蓋保持部１９が上蓋Ｂの摘み部３４に嵌合したまま、上蓋Ｂが開蓋される。
必要であれば、開蓋後に蓋保持部１９の押さえ部材２２の下方から力を加え、押さえ部材２２を変形させ、摘み部３４と蓋保持部１９との嵌合を外し、蓋保持部１９から摘み部３４を外してもよい。
【００２３】
本発明のヒンジキャップは、打栓時の閉蓋により、上蓋Ｂの摘み部３４の突出部３４ａとキャップ本体Ａの蓋保持部１９の押さえ部材２２が嵌合し、上蓋Ｂのキャップ本体Ａに対しての嵌合力を付加するので、上蓋Ｂの係合部３３とキャップ本体Ａの蓋係合部１２との嵌合力を弱く設定することができ、使用者による開蓋の際には、蓋保持部１９と摘み部３４による上蓋Ｂとキャップ本体Ａとの嵌合を外すことができ、使用者がより上蓋を開蓋し易くすることができる。
【００２４】
本発明のヒンジキャップは、容器を廃棄する際、まず、上蓋Ｂを開蓋し、上蓋Ｂを引張り上げることにより、ヒンジＣを介してキャップ本体Ａの外周筒部５を上昇させ、外周筒部５と係合筒部４との間の弱化片１５を切断する。
次に、外周筒部５と係合筒部４との間の連結片１４を支点として、外周筒部５のヒンジＣ側が上昇し、さらに上蓋Ｂを引張ることで、外周筒部５の連結片１４側も上昇させる。
【００２５】
最後に、連結片１４を介して係合筒部４の外筒１１の連結片１４側が引張られることで、係合筒部４の外筒１１が変形し、キャップ本体Ａと容器本体の口筒部との係合を外して、簡単にヒンジキャップを容器本体から外して、分別廃棄することができる。
【産業上の利用可能性】
【００２６】
本発明は、ヒンジキャップにおいて、容器内の内容液、または、温水シャワーによりヒンジキャップ内の空気が加熱され、内圧が上昇しても、ヒンジキャップの上蓋が開蓋することを防止でき、各種の加熱充填する内容液の容器のヒンジキャップとして広く利用することができる。
【図面の簡単な説明】
【００２７】
【図１】本発明のヒンジキャップの説明図で、（ａ）は断面立面図、（ｂ）は要部拡大図である。
【図２】ヒンジキャップの閉蓋前の上面図である。
【図３】ヒンジキャップの打栓後、開蓋時の要部拡大説明図である。
【符号の説明】
【００２８】
Ａ          キャップ本体
Ｂ          上蓋
Ｃ          ヒンジ
１          底壁
２          注出筒
３          リング状底壁
４          係合筒部
５          外周筒部
６、１８    弱化部
７          除去部
８          プルリング
９          上壁
１０        内筒
１１        外筒
１２        蓋係合部
１３        係合突条
１４        連結片
１５        弱化片
１６        縮径部
１７        膨出部
１９        蓋保持部
２０        底壁
２１        側壁
２２        押さえ部材
２３        係合凸部
２４        係合面
３０        頂壁
３１        外筒壁
３２        密封リング
３３        係合部
３３ａ      上内面
３３ｂ      側内面
３４        摘み部
３４ａ      突出部
３５        係合突部
３６        傾斜面
３７        係合凹部
【図１】
0005269360.tif 000002
【図２】
0005269360.tif 000003
【図３】
0005269360.tif 000004